(57)【特許請求の範囲】
【請求項１】
プレハブコンクリートパネルの連結部端面に、パネルの厚さ方向に端面を低部と高部に分ける段差を設けるとともに、前記低部に前記段差の低部側から高部側に向かう方向に幅が狭まる正面楔形の突出部を設けたことを特徴とするプレハブコンクリートパネル。
【請求項２】
前記楔形突出部を、前記段差による低部にほぼ等間隔に配設し、その楔形突出部の間の凹部にプレハブコンクリートパネル連結用の差し筋を配したことを特徴とする請求項１記載のプレハブコンクリートパネル。
【請求項３】
前記楔形突出部を、前記段差による低部にほぼ等間隔に配設し、その楔形突出部の間の凹部に電気ケーブル用導管を配したことを特徴とする請求項１記載のプレハブコンクリートパネル。
【発明の詳細な説明】
【０００１】
【産業上の利用分野】
本発明は、ビル等の建造物に使用されるプレハブコンクリートパネルの連結部構造に係り、特に、建設現場でパネルの連結部間にコンクリートを流し込んで楔状のコッター部を有するパネル連結用コンクリート体を形成する連結部構造において、前記コッター部を小型のものにして、プレハブコンクリートパネルの製造を容易にするプレハブコンクリートパネルの連結部構造に関する。
【０００２】
【従来の技術】
一般にプレハブ工場でコンクリートパネルを製造し、ビル等の建造物の現場で組み立てる工法が知られている。予めプレハブ工場で製造されるコンクリートパネル（以下プレハブコンクリートパネル、あるいは単にＰＣパネルという）は、プレハブ工場で構造用あるいは補強用の鉄筋や電気ケーブル用導管やパイプなどの設備用打込管類を配置した型枠にコンクリートを流し込んで成型する。
【０００３】
このプレハブコンクリートパネルの連結部端面には、コンクリートによってＰＣパネル同士を一体に連結するコッター用の凹凸や、パネル内部の鉄筋（以下差し筋という）を連結するためのコッター用の凹部や、ＰＣパネルの連結部で電気ケーブルを接続するためのコッター用の凹部等がそれぞれ異なる形状で設けられている。このため、プレハブコンクリートパネルの連結部端面は、複雑な形状を有していた。
【０００４】
従来のプレハブコンクリートパネルの連結部端面には、ＰＣパネルの厚さ方向の中心部に溝が設けられ、さらに差し筋が配される場所やそのＰＣパネル内を通過する電気ケーブルの配置に応じて、各ＰＣパネルごとに異なる位置に差し筋用コッターの凹部と電気ケーブル接続用コッターの凹部がそれぞれ異なる形状で設けられていた。
【０００５】
図５は、従来のプレハブコンクリートパネルの連結部端面を示している。従来のプレハブコンクリートパネル１０は、連結部端面１１の厚さ方向中心部に沿って溝１２を設けられている。また、連結部端面１１の所々には、パネル同士を連結する差し筋用コッターのための凹部１３が設けられている。この凹部１３には、連結用の差し筋１４が突設されている。
【０００６】
上記従来のプレハブコンクリートパネル１０は、建設現場で連結部端面１１と凹部１３が対向するように並べられ、差し筋１４や図示しない電気ケーブルを接続した後に、連結部端面１１の間と凹部１３にコンクリートを打設し、このコンクリートが硬化してパネル連結用コンクリート体を形成することによって対向するプレハブコンクリートパネル１０，１０の端部が一体に連結される。
【０００７】
図６は、パネル連結用コンクリート体によって一体に連結された従来のプレハブコンクリートパネルを示している。図６に示すように、プレハブコンクリートパネル１０ａ，１０ｂは、その連結部端面１１間にパネル連結用コンクリート体１５を形成されている。このパネル連結用コンクリート体１５は、プレハブコンクリートパネル１０ａ，１０ｂの各連結部端面１１に密着し、プレハブコンクリートパネル１０ａ，１０ｂの溝１２と嵌合する尾根状突起部１６と、凹部１３と嵌合する差し筋用コッター部１７とを有している。
【０００８】
上記従来のプレハブコンクリートパネル１０において、プレハブコンクリートパネル１０ａ，１０ｂの厚さ方向Ｐ１０，Ｐ１１のパネルのずれに対しては、パネル連結用コンクリート体１５の尾根状突起部１６が、プレハブコンクリートパネル１０ａ，１０ｂを係止してずれを防止する。
【０００９】
また、プレハブコンクリートパネル１０ａ，１０ｂの連結部端面１１に沿った方向Ｐ１２，Ｐ１３、すなわち同一面内のパネルのずれに対しては、差し筋用コッター部１７がプレハブコンクリートパネル１０ａ，１０ｂを係止してずれを防止する。
【００１０】
また、プレハブコンクリートパネル１０ａ，１０ｂの間が離開する方向に対しては、溶接等によって連結された差し筋１４の引張りによってパネル同士の離開を防止することができる。
【００１１】
【発明が解決しようとする課題】
しかしながら、上記従来のプレハブコンクリートパネルの連結部構造では、少数の差し筋用あるいは電気ケーブル接続用のコッター突出部によってパネル連結面に平行な方向のずれ（同一平面内のずれ）を防止していたので、各コッター突出部が十分な強度を得るために大きくＰＣパネル内に張り出していた。
【００１２】
上記差し筋用あるいは電気ケーブル接続用のコッター突出部は、型枠内に構造筋を配置する時の妨げになって、このためにＰＣパネルの製造に手間と時間がかかり、製造コストを上昇させる原因となっていた。このことを図面を用いて以下に説明する。
【００１３】
図７は、従来のプレハブコンクリートパネルを形成する際の型枠内に構造筋を配置した状態を示している。
図７において、ベッド１８の上に成型するプレハブコンクリートパネルを囲む形に型枠１９が設けられている。この型枠１９の高さ方向中心部には、パネル同士の厚さ方向のずれを防止するコッター用の突起２０が設けられている。また、型枠１９の所々には、電気ケーブル用の導管や図示しない差し筋用のコッターを形成する突出部２１がそれぞれ異なる形状で設けられている。
【００１４】
型枠１９内には、コンクリートの打設に先だって、構造用に格子状に結合された構造用下端筋２２が、構造耐力の要求から型枠１９の内面と前記構造用下端筋２２とが０〜３ｃｍの範囲で近接して配設されている。
【００１５】
上記電気ケーブルや差し筋コッターを形成する突出部２１は、コッターとして十分な強度を得るために、大きく型枠１９の内方に突出している。このため、構造用下端筋２２は、電気ケーブルや差し筋コッター用の突出部２１との干渉を避けるために、図７に示すように対応する部分が予め一部切り欠かれた状態で配設されている。
【００１６】
このように一部切り欠かれた構造用下端筋２２を型枠１９内に配置した後に、図７の仮想線で示すように、切り欠かれた部分を補強するために補強用の補強筋２３を配設する。
【００１７】
このように構造筋２２および補強筋２３を配置した後に、図には示していないが、電気ケーブル用の導管や差し筋を型枠１９に取り付け、次に図示しない構造用上端筋を配設し、その後にコンクリートを打設する。
【００１８】
このように電気ケーブルや差し筋コッター用の突出部を回避するために構造用下端筋、上端筋の一部を予め切り欠き、配置後に狭い空間で補強筋を補充する作業は、プレハブコンクリートパネル製造の効率化の妨げとなっていた。
【００１９】
また、従来の型枠では、電気ケーブルコッターや差し筋コッターの位置が変わる度に、コッター用の突出部を移設しなければならず、時間と労力がかかり、さらに、型枠１９には、前記コッターを固定するボルト穴が開き、その補修が大変であった。
【００２０】
そこで、本発明の目的は、上記従来のプレハブコンクリートパネルの接続部構造の課題を解決し、小型のコッターによってＰＣパネルのずれや離開を防止でき、かつ、プレハブコンクリートパネルの製造が容易なプレハブコンクリートパネルの連結部構造を提供することにある。
【００２１】
【課題を解決するための手段】
上記目的を達成するために、本願請求項１に係るプレハブコンクリートパネルは、
プレハブコンクリートパネルの連結部端面に、パネルの厚さ方向に端面を低部と高部に分ける段差を設けるとともに、前記低部に前記段差の低部側から高部側に向かう方向に幅が狭まる正面楔形の突出部を設けたことを特徴とするものである。
【００２２】
本願請求項２に係るプレハブコンクリートパネルは、請求項１のプレハブコンクリートパネルにおいて、
前記楔形突出部を、前記段差による低部にほぼ等間隔に配設し、その楔形突出部の間の凹部にプレハブコンクリートパネル連結用の差し筋を配したことを特徴とするものである。
【００２３】
本願請求項３に係るプレハブコンクリートパネルは、請求項１のプレハブコンクリートパネルにおいて、
前記楔形突出部を、前記段差による低部にほぼ等間隔に配設し、その楔形突出部の間の凹部に電気ケーブル用導管を配したことを特徴とするものである。
【００２４】
【作用】
上記請求項１の構成のプレハブコンクリートパネルによれば、連結部端面が向かい合うように前記プレハブコンクリートパネルを配置し、連結部端面間にコンクリートを流し込んで連結用コンクリート体を形成することにより、プレハブコンクリートパネルの連結部構造を形成することができる。
このプレハブコンクリートパネルの連結部構造によれば、プレハブコンクリートパネルの厚さ方向のずれに対しては、パネル連結面の段差と楔形の突出部とパネル連結用コンクリート体の協働によってずれを防止することができる。
【００２５】
さらに詳しくは、不動のパネル連結用コンクリート体に対してプレハブコンクリートパネルが段差の低部側から高部側に向かう方向にずれようとするときは、段差の低部から高部に向かう方向に幅が狭まる楔形突出部の傾斜面が、嵌合するパネル連結用コンクリート体と係合してずれを防止する。
【００２６】
また、不動のパネル連結用コンクリート体に対してＰＣパネルが段差の高部側から低部側に向かう方向にずれようとするときは、パネル連結部端面の段差が嵌合するパネル連結用コンクリート体と係合してずれを防止することができる。
【００２７】
また、ＰＣパネルの同一面内のずれ、すなわち連結部端面に沿う方向のずれは、多数の楔形突出部の立上り側面がパネル連結用コンクリート体と係合することにより、ずれを防止することができる。
【００２８】
ＰＣパネルの連結面同士が離開する方向の力に対しては、パネル同士を連結する差し筋の引張力によって、パネルの離開を防止することができる。
【００２９】
上記作用を有する楔形突出部をＰＣパネルの連結面に多数設けるにより、パネルのずれを生じさせる剪断力を多数の楔形突出部によって全体として受けることができる。これによって、一つあたりの楔形突出部が受け持つ剪断力を小さくでき、各楔形突出部の高さ（型枠内方に突出する長さ）を小さくすることができる。
【００３０】
このように楔形突出部の高さを小さくすることにより、ＰＣパネル成型時に型枠内に構造筋を配置するときの障害が少なくなる。これにより、従来のように型枠内に構造筋を配置するときに、差し筋用コッター部を成型する型枠の突起部を回避するために、格子状に結んだ構造筋の一部を切り欠いて配置後にその切り欠いた部分の補強筋を補充する工程が省ける。初めから格子状に結んだ構造筋を型枠内に配置するができることにより、少ない工程と時間によって成型可能なプレハブコンクリートパネルを提供することができる。
【００３１】
本願請求項２および請求項３に係るプレハブコンクリートパネルの連結部構造によれば、楔形突出部がパネル連結面の凹部にほぼ等間隔に配設され、これら楔形突出部の間の凹部に差し筋や電気ケーブル導管を配設するようにしているので、電気ケーブルや差し筋の位置が変更したときに、電気ケーブルや差し筋のコッター用突出部を移設するなどの型枠の改造をすることなく、必要に応じて差し筋や電気ケーブル導管を配設する凹部を選択すれば、要求を満たすことができる。
【００３２】
これにより、プレハブコンクリートパネル成型用の型枠の汎用性を高めて全体として製造容易なプレハブコンクリートパネルを得ることができる。
【００３３】
【実施例】
次に本発明によるプレハブコンクリートパネルの連結部構造の一実施例について添付の図面を用いて以下に説明する。
【００３４】
図１は、本発明の一実施例によるプレハブコンクリートパネルの連結部の端面を示している。図１において、プレハブコンクリートパネル１は、その連結部端面２に、連結部端面２を低部２ａと高部２ｂに分ける段差３を有している。この段差３によって形成された連結部端面２の低部２ａには、段差３の低部２ａ側から高部２ｂ側に向かって幅ｗが狭まる正面楔形の突出部４がほぼ等間隔に複数個設けられている。
【００３５】
楔形突出部４の間の凹部５には、プレハブコンクリートパネル１を互いに連結する差し筋６や、ケーブル用導管７が配設されている。
【００３６】
図２は、図１のプレハブコンクリートパネル１の連結部端面２の正面を示している。
【００３７】
図２に示すように、本実施例のプレハブコンクリートパネル１では、楔形突出部４は、連結部端面２の低部２ａにほぼ等間隔に複数個配置されている。これら楔形突出部４は、段差３の低部２ａ側から高部２ｂ側に向かって幅ｗが狭くなっているために、両側に垂直方向に対して傾斜する傾斜面４ａを有している。また、楔形突出部４の間の凹部５には、差し筋６やケーブル用導管７が配設されている。
【００３８】
上記プレハブコンクリートパネル１は、建設現場で連結部端面２が向かい合うように並べられ、差し筋６や電気ケーブル用導管等を接続した後に、連結部端面２の間にコンクリートを打設し、プレハブコンクリートパネル１間にパネル連結用コンクリート体８を形成することによって、互いに一体に連結される。
【００３９】
図３は、プレハブコンクリートパネル１の連結部端面２の間にパネル連結用コンクリート体８を形成した状態を示している。図３に示すように、建設現場で、所定位置にプレハブコンクリートパネル１ａ，１ｂを配置した後に打設するコンクリートは、隣接するプレハブコンクリートパネル１ａ，１ｂの連結部端面２の凹凸に入り込み、硬化して連結部端面２と隙間なく嵌合するパネル連結用コンクリート体８を形成する。
【００４０】
パネル連結用コンクリート体８が形成された後は、互いに隣接するプレハブコンクリートパネル１ａ，１ｂは、連結部端面２の段差３と、楔形突出部４と、パネル連結用コンクリート体８と、差し筋６の協働によって、互いにずれたり、離れたりすることなく一体に結合される。
【００４１】
図４は、このプレハブコンクリートパネル１のずれや離開に対する段差３と楔形突出部４とパネル連結用コンクリート体８と差し筋６の作用を説明した図である。
【００４２】
最初に、プレハブコンクリートパネル１の厚さ方向、すなわち、プレハブコンクリートパネル面に段差を生じる方向へのずれについて説明する。
【００４３】
図４において１例を示すと、固定されているプレハブコンクリートパネル１ａとパネル連結用コンクリート体８に対して、プレハブコンクリートパネル１ｂが、段差３の低部２ａ側から高部２ｂ側に向かう方向Ｐ１  へずれようとする場合、プレハブコンクリートパネル１ｂの楔形突出部４は、両側に下方に幅が狭まるような傾斜面４ａを有しているために（図２参照）、この傾斜面４ａがパネル連結用コンクリート体８と係合して、プレハブコンクリートパネル１ｂは方向Ｐ１  へ移動することができない。
【００４４】
一方、固定されているプレハブコンクリートパネル１ａとパネル連結用コンクリート体８に対して、プレハブコンクリートパネル１ｂが、段差３の高部２ｂ側から低部２ａ側に向かう方向Ｐ２  へずれようとする場合、プレハブコンクリートパネル１ｂの段差３がパネル連結用コンクリート体８と係合して、プレハブコンクリートパネル１ｂは方向Ｐ２  へは移動することができない。
【００４５】
次に、プレハブコンクリートパネル１の同一面内のずれ、すなわち連結部端面２に沿った方向のずれについて図３を用いて説明する。
【００４６】
図３において、固定されているプレハブコンクリートパネル１ａとパネル連結用コンクリート体８に対して、プレハブコンクリートパネル１ｂが連結部端面２に沿った方向Ｐ３  またはＰ４  へずれようと場合、プレハブコンクリートパネル１ｂの楔形突出部４の傾斜面４ａが、パネル連結用コンクリート体８と係合し、プレハブコンクリートパネル１ｂは方向Ｐ３  またはＰ４  のいずれへも移動することができない。
【００４７】
最後に、隣接するプレハブコンクリートパネル１ａ，１ｂが離開する場合について説明する。図４において、パネル連結用コンクリート体８が形成される前に、プレハブコンクリートパネル１ａとプレハブコンクリートパネル１ｂの差し筋６は、互いに一体に溶接されている。プレハブコンクリートパネル１ａとプレハブコンクリートパネル１ｂがそれぞれ方向Ｐ５  とＰ６  へ移動しようとするとき、差し筋６の引張力によって両プレハブコンクリートパネル１ａ，１ｂは離開することがない。
【００４８】
このように、本実施例のプレハブコンクリートパネル１によれば、段差３と楔形突出部４とパネル連結用コンクリート体８と差し筋６の作用によって、隣接するプレハブコンクリートパネルが互いにずれたり、離開したりすることがない。
【００４９】
次に、本発明のプレハブコンクリートパネルによれば、プレハブコンクリートパネルの製造が容易である点について説明する。
【００５０】
プレハブコンクリートパネル１の連結部端面２に、楔形突出部４を多数設けることにより、上記パネル間のずれや離開する力を多数の楔形突出部４によって受け持つことができる。この場合、１個あたりの楔形突出部４が受ける力が小さくなるために、楔形突出部４の高さ（図１に示すｈ）を小さくすることができる。
【００５１】
楔形突出部４の必要高さｈが小さければ、楔形突出部４（正確には凹部５）を形成するための型枠の張出し部分の高さが小さいので、格子状の構造筋を切り欠くことなく、型枠内にそのまま配置することができる。
【００５２】
これにより、従来のプレハブコンクリートパネルを成型するときのように、一旦コッターを形成する型枠の突出部と構造筋が干渉する一部の構造筋を切り欠いて型枠内に配設し、その後に切り欠いた部分の構造筋を補充する工程が省略され、きわめて効率的にプレハブコンクリートパネルを製造することができる。
【００５３】
また、本実施例のプレハブコンクリートパネル１のように、予め連結部端面２の低部２ａに楔形突出部４を等間隔に配設し、楔形突出部４間の凹部５に差し筋６やケーブル用導管７を設けるものと定めておけば、差し筋６やケーブル用導管７の位置が変更になった場合、型枠そのものを改変することなく、変更された位置の凹部５に差し筋６やケーブル用導管７を設けることによって要求を満足することができる。これにより、従来差し筋等の位置変更の度に、差し筋用コッター部の型枠を改造していた労力と時間を省略でき、差し筋やケーブル用導管の位置が異なる複数種類のプレハブコンクリートパネルに対して同一型枠を使用でき、プレハブコンクリートパネルを効率よく製造することができる。
【００５４】
なお、上記実施例では、プレハブコンクリートパネル１の連結部端面２の低部２ａに、楔形突出部４をほぼ等間隔に設けているが、本発明は、プレハブコンクリートパネルの連結部端面に段差と楔形突出部を適当に設けていれば足り、楔形突出部４は連結部端面２の任意の位置に設置することができる。
【００５５】
【発明の効果】
上記説明から明らかなように、本願請求項１に係るプレハブコンクリートパネルによれば、連結部端面に設けた段差が、連結部端面の高部側から低部側へのプレハブコンクリートパネルの移動を制限し、楔形突出部の傾斜面が、連結部端面の低部側から高部側へのプレハブコンクリートパネルの移動を制限するので、パネルの厚さ方向のずれを防止することができる。
【００５６】
また、楔形突出部の傾斜面が連結部端面に平行なプレハブコンクリートパネルの移動を制限するので、同一面内におけるプレハブコンクリートパネルのずれを防止することができる。
【００５７】
上記楔形突出部を多数設けることにより、１ケ所あたりの楔形突出部が受ける力、すなわち剪断力が小さくなり、楔形突出部を形成する型枠の張出しの高さ（突出長さ）を小さくすることができる。型枠の張出し部の高さが小さくなることにより、構造筋を切り欠くことなく、型枠内に配置すること可能となり、これによって、製造工程も簡略化でき、効率よくプレハブコンクリートパネルを製造することができる。
【００５８】
本願請求項２に係るプレハブコンクリートパネルによれば、連結部端面の低部に楔形突出部を等間隔に配設し、楔形突出部間の凹部に差し筋やケーブル用導管を設けている。差し筋やケーブル用導管の位置が変更になった場合、型枠そのものを改変することなく、変更された位置の凹部に差し筋やケーブル用導管を設けることができる。これによって、差し筋やケーブル用導管の位置が異なる複数種類のプレハブコンクリートパネルを同一の型枠によって製造でき、全体として製造が容易なプレハブコンクリートパネルを得ることができ、また、現場打ちコンクリートの打設量も少なくすることができる。
【図面の簡単な説明】
【図１】本発明のプレハブコンクリートパネルの連結部端面を示した斜視図。
【図２】本発明のプレハブコンクリートパネルの連結部端面を示した正面図。
【図３】パネル連結用コンクリート体を形成した後の本発明のプレハブコンクリートパネルの連結部構造を示した斜視図。
【図４】本発明のプレハブコンクリートパネルの連結部構造の作用を説明した断面図。
【図５】従来のプレハブコンクリートパネルの連結部端面を示した斜視図。
【図６】パネル連結用コンクリート体によって連結された従来のプレハブコンクリートパネルの連結部構造を示した斜視図。
【図７】従来のプレハブコンクリートパネル成型用型枠内に差し筋を配置した状態を示した斜視図。
【符号の説明】
１  プレハブコンクリートパネル
２  連結部端面
２ａ  低部
２ｂ  高部
３  段差
４  楔形突出部
４ａ  傾斜面
５  凹部
６  差し筋
７  ケーブル用導管
８  パネル連結用コンクリート体
ｗ  楔形突出部の幅
【図１】
0003561733.tif 000002
【図２】
0003561733.tif 000003
【図３】
0003561733.tif 000004
【図４】
0003561733.tif 000005
【図５】
0003561733.tif 000006
【図６】
0003561733.tif 000007
【図７】
0003561733.tif 000008